(57)【特許請求の範囲】
【請求項１】
複数の遊戯台と、前記複数の遊戯台に対応する複数の遊戯媒体貸機と、複数の記録媒体を発行する記録媒体発行装置と、前記記録媒体を回収する記録媒体回収装置と、前記記録媒体に予め記憶された情報に基づいて景品交換を行うＰＯＳレジと、前記複数の遊戯台における各種の遊戯情報を一括管理するデータ管理装置と、前記各種の遊戯情報を記憶する記憶装置と、これらを接続する通信手段と、を備えた遊戯システムにおいて、
前記記録媒体発行装置は、それぞれの記録媒体を識別する識別符号が記録された前記複数の記録媒体を発行すると共に、前記記憶装置は前記複数の記録媒体毎の識別符号とこの識別符号に対応する有価価値情報を記憶し、
前記記録媒体が前記遊戯媒体貸機、前記記録媒体回収装置、前記ＰＯＳレジのいずれかに装着されると、前記データ管理装置は前記記録媒体の記録内容と前記記憶装置に記憶されている記録内容とを照合しこれらが合致したときのみ、前記遊戯媒体貸機、前記記録媒体回収装置、前記ＰＯＳレジにおける処理を実行し、当該処理において前記記録媒体の識別符号に対応する有価価値情報が変化したとき、前記記憶装置における当該記録媒体の識別符号に対応する有価価値情報を更新し、
前記記録媒体は貸し出し専用であって、前記記録媒体発行装置は、前記記録媒体の貸出料金を有価価値情報に相当する料金に加算して前記記録媒体を発行し、
前記貸出料金は、
前記記録媒体回収装置が前記記録媒体の回収時に返却するか、もしくは、前記記録媒体を前記ＰＯＳレジに装着してすべての有価価値情報を精算して遊戯を終了するときに、前記ＰＯＳレジが前記記録媒体の識別符号に対応する有価価値に加算して景品交換に使用可能にし、
前記ＰＯＳレジは、前記記録媒体の識別符号に対応する有価価値と前記記録媒体の貸出料金とを加算した価値に相当する景品交換を行った後に、前記記録媒体を回収することを特徴とする遊戯システム。
【請求項２】
前記記録媒体発行装置は、発行する各記録媒体に、当該各記録媒体の有効期限を含む遊戯媒体貸出情報を記録し、
前記記憶装置は、各記録媒体に記録された前記遊戯媒体貸出情報を、当該各記録媒体に対応する識別符号およびこの識別符号に対応する有価価値情報と対応づけて記憶し、
前記記録媒体が前記遊戯媒体貸機または前記ＰＯＳレジに装着されると、前記データ管理装置は、前記遊戯媒体貸出情報を含む前記記録媒体および前記記憶装置の記録内容を照合して、これらが合致したときのみ、前記遊戯媒体貸機または前記ＰＯＳレジにおける処理を実行することを特徴とする請求項１記載の遊戯システム。
【請求項３】
記録媒体における記録内容は書換えが可能であり、
前記記憶装置における前記記録媒体の識別符号に対応する有価価値情報を更新するとき、同時に前記記録媒体に記録された前記遊戯媒体貸出情報を更新する手段を備えたことを特徴とする請求項１、または請求項２記載の遊戯システム。
【発明の詳細な説明】
【０００１】
【発明の属する技術分野】
本発明は、パチンコホール等の遊戯場の遊戯システムに関し、特にカードなどの記録媒体を使用して遊戯を行い、遊戯の結果として得たパチンコ玉数等の有価価値情報をそれぞれの記録媒体の識別符号に対応して、遊戯システムの記憶部に記録し、遊戯を継続したり、景品交換等に用いることを特徴とする遊戯システムに関する。
【０００２】
【従来の技術】
従来、パチンコ店にはパチンコ玉貸出し用のプリペイカードを購入して遊戯を行うカード式遊戯システムが導入されている。これは、パチンコ玉貸し用カード販売機と、遊技台毎に設けられたカード読取装置と、遊技台と、これらを管理する管理装置で構成されている。
【０００３】
カード販売機で購入したカードを遊技台毎に設置されたカード読取装置に挿入するとカードデータの真偽を、カード読取装置及び管理装置で判定し、カードデータが真と判定されると遊戯台に設けられた表示手段に有価価値情報（パチンコ玉数または金額）を表示する。ここで遊技台に設けられたパチンコ玉貸出ボタンを押下するとパチンコ玉が所定数だけ遊技台の上皿に払い出され遊戯が可能となる。ここで、カードに記録されている玉数データは払出された分減額されてカードに記録される。また遊戯者は、遊戯の結果としてパチンコ玉を獲得した場合には遊技場内に設置された計数レジスターに運ぶか、又は遊技台毎に設けられた計数機によってその玉数を計数し、計数結果を記録した景品交換カードを取得し、景品と交換する。
【０００４】
【発明が解決しようとする課題】
ところで、この様なシステムにおいては、パチンコ玉貸し用のプリペイカードと景品交換カードの２種類のカードが必要となり管理が煩雑となる。また、これらのカードは一度限りの使用のため、カード発行の度に新しいものを用意する必要があり、コストが高くなる。さらに、プリペイカードは度数が残っていても払戻しできないため、遊戯終了後に持ち帰るなどして、再度、別の営業日に使用することがある。このため、信用保証上、偽造、変造などに対する防御策が必要であった。従来システムにおいては、以上のような問題がある。
【０００５】
【課題を解決するための手段】
上記課題を解決するため、本発明は、複数の遊戯台と、前記複数の遊戯台に対応する複数の遊戯媒体貸機と、複数の記録媒体を発行する記録媒体発行装置と、前記記録媒体を回収する記録媒体回収装置と、前記記録媒体に予め記憶された情報に基づいて景品交換を行うＰＯＳレジと、前記複数の遊戯台における各種の遊戯情報を一括管理するデータ管理装置と、前記各種の遊戯情報を記憶する記憶装置と、これらを接続する通信手段と、を備えた遊戯システムにおいて、前記記録媒体発行装置は、それぞれの記録媒体を識別する識別符号が記録された前記複数の記録媒体を発行すると共に、前記記憶装置は前記複数の記録媒体毎の識別符号とこの識別符号に対応する有価価値情報を記憶し、前記記録媒体が前記遊戯媒体貸機、前記記録媒体回収装置、前記ＰＯＳレジのいずれかに装着されると、前記データ管理装置は前記記録媒体の記録内容と前記記憶装置に記憶されている記録内容とを照合しこれらが合致したときのみ、前記遊戯媒体貸機、前記記録媒体回収装置、前記ＰＯＳレジにおける処理を実行し、当該処理において前記記録媒体の識別符号に対応する有価価値情報が変化したとき、前記記憶装置における当該記録媒体の識別符号に対応する有価価値情報を更新し、前記記録媒体は貸し出し専用であって、前記記録媒体発行装置は、前記記録媒体の貸出料金を有価価値情報に相当する料金に加算して前記記録媒体を発行し、前記貸出料金は、前記記録媒体回収装置が前記記録媒体の回収時に返却するか、もしくは、前記記録媒体を前記ＰＯＳレジに装着してすべての有価価値情報を精算して遊戯を終了するときに、前記ＰＯＳレジが前記記録媒体の識別符号に対応する有価価値に加算して景品交換に使用可能にし、前記ＰＯＳレジは、前記記録媒体の識別符号に対応する有価価値と前記記録媒体の貸出料金とを加算した価値に相当する景品交換を行った後に、前記記録媒体を回収することを特徴としている。
【０００６】
本発明は、このような構成により、記録内容が合致しなかった場合は前記データ管理装置がそれぞれの装置の処理を中止することによって、記録媒体の偽造、変造などを発見し易くして犯罪を防止するとともに、一種類の記録媒体で、パチンコ玉等の遊戯媒体の貸出処理、景品交換処理を行うことができるため記録媒体としてのカード等の運用管理を簡単にすることができる。また、常に最新の状態で有価価値情報を前記記憶装置に記憶し、偽造、変造の犯罪を更に難しいものにして、遊戯システム全体の信頼性を向上させることができる。
【０００７】
また、本発明によれば、記録媒体は貸し出し専用であって、前記記録媒体発行装置は、記録媒体の貸出料金を有価価値情報に相当する料金に加算して記録媒体を発行し、前記記録媒体回収装置は記録媒体の回収時に前記貸出料金を返却することによって、記録媒体の回収効率が向上しリサイクルが可能となる。また、貸出料金をＰＯＳレジにおいて景品交換に使用可能とし、記録媒体回収装置の他にＰＯＳレジによっても記録媒体を回収することができる。よって、記録媒体回収の便利性が増して、回収効率を向上させリサイクル効率を高めることができる。
【０００８】
本発明において、前記記録媒体発行装置は、発行する各記録媒体に、当該各記録媒体の有効期限を含む遊戯媒体貸出情報を記録し、前記記憶装置は、各記録媒体に記録された前記遊戯媒体貸出情報を、当該各記録媒体に対応する識別符号およびこの識別符号に対応する有価価値情報と対応づけて記憶し、前記記録媒体が前記遊戯媒体貸機または前記ＰＯＳレジに装着されると、前記データ管理装置は、前記遊戯媒体貸出情報を含む前記記録媒体および前記記憶装置の記録内容を照合して、これらが合致したときのみ、前記遊戯媒体貸機または前記ＰＯＳレジにおける処理を実行するように構成することができる。
【０００９】
また、本発明において、記録媒体における記録内容は書換えが可能であり、前記記憶装置における前記記録媒体の識別符号に対応する有価価値情報を更新するとき、同時に前記記録媒体に記録された前記遊戯媒体貸出情報を更新する手段を備えた構成とすることができる。このように書換え可能なカードを用いれば、一度使用されて回収された前記記録媒体を再び貸出す場合は前記記録内容を書き換えて貸出すことができ、例えばカード等の記録媒体を繰り返して使用可能であって、カード等の記録媒体の運用コストを安価とすることができる。
【００１０】
【発明の実施の形態】
本発明の実施の形態を図１を参照して説明する。パチンコ店内には少なくとも１台のパチンコ玉貸用カード販売機1、パチンコ玉貸用カード回収機24、記憶装置（サーバー）23、ＰＯＳレジ22、遊戯システムデータ管理装置21、遊技台毎に設けられた遊戯媒体貸機としての玉貸機7、遊技台11を設置する。そしてこれらの機器は通信手段によって互いに接続されている。
【００１１】
遊技台11には図示しないパチンコ玉払出手段、遊技台制御手段20、パチンコ玉貸出ボタン12、パチンコ玉貸用カード返却ボタン13、有価価値（金額あるいは玉数）表示器14を設ける。さらに、遊技台に対応してパチンコ玉貯留手段18、計数表示器9、パチンコ玉計数ボタン10を設け、制御手段20によってこれらを制御する。
【００１２】
また、遊戯システムデータ管理装置21は外部通信手段により、パチンコ玉貸し用カード供給会社の総合管理装置と接続し、売り上げデータ等を送信することが可能である。
【００１３】
図２は、図1の遊戯システムに使用される記録媒体としてのカード27を示す。カードは裏面が磁気記録面28となっていて、磁気データとして記録するデータのフォーマットは、例えば図３の磁気データ記録フォーマットに示す通りである。発行番号はカード毎に付与する一連の識別符号である。カード種類情報は、例えば５０００円、３０００円、１０００円等のカード購入時の有価価値情報を示す情報である。遊戯客がカード販売機1に貨幣を投入し、購入ボタン2を押すとカード販売機1は一連の発行番号を取得し、この発行番号と発行店の店番号、カード種類、有効期限等を遊戯媒体貸出情報としてカードに記録して遊戯客に販売する。同時に、有価価値情報および当該発行番号と対応した前述の店番号、カード種類、有効期限等の遊戯媒体貸出情報を通信手段によってデータ管理装置21に送信してカード発行を記録するとともに、記憶装置23に有価価値情報および前記遊戯媒体貸出情報を送信して前記発行番号と対応させて記憶する。
【００１４】
上記のような構成において、遊戯客はパチンコ玉貸用カード販売機1の紙幣投入口5あるいは硬貨投入口4に、希望する貸玉数に相当する有価価値とカードの貸出料に相当する金額を合計した額の貨幣を投入し、販売ボタン2を押して希望の有価価値のパチンコ玉貸し用カードを購入する。パチンコ玉貸出用カード販売機1はカードを販売するとき、一連の発行番号を取得し、この発行番号に店番号、カード種類等の遊戯媒体情報を対応させてカードに記録する。また、前記カードの発行番号に対応させて、店番号、カード種類等の遊戯媒体貸出情報及びカードの有価価値情報を通信手段により遊戯システムデータ管理装置21に送信してカードの発行を記録し、記憶装置23にこれらの情報を送信して、カードの発行番号毎にこれらの情報を記憶する。
【００１５】
遊戯客は、任意の遊技台を選択し、遊技台11に対応して設けられた玉貸機7のカードリーダー8に購入したパチンコ玉貸用カードを挿入する。カードリーダー8は前記カードの遊戯媒体貸出情報を読み取り遊戯システムデータ管理装置21に送信する。遊戯システムデータ管理装置21は前記遊戯媒体貸出情報と記憶装置23に発行番号に対応して記録された店番号、カード種類等の遊戯媒体貸出情報、あるいは有価価値情報等を照合して、データが合致していれば真、合致していなければ偽と判定する。
【００１６】
データが遊戯システムデータ管理装置21によって偽と判定されると、その旨を示す符号が玉貸機7に送信され、玉貸機7は処理を中止する。そして遊戯システムデータ管理装置21は図示しない警報装置等を動作させて遊技場の管理者等に異常を知らせる。またデータが真であると判定されると、その旨を示す符号と有価価値情報が玉貸機7に送信され、玉貸機7は有価価値情報を遊技台11の制御手段20に送信する。制御手段20は有価価値情報を表示器14に表示する。遊戯客がパチンコ玉貸ボタン12を押下すると、遊技台11の上皿15に所定単位のパチンコ玉が払出されると共に、パチンコ玉払出情報を売り上げ情報として通信手段により遊戯システムデータ管理装置21に送信する。このとき制御手段20はパチンコ玉払出数に相当する有価価値を元の有価価値情報から減算して、表示器14に表示される有価価値情報を更新する。同時に記憶装置23に記憶されているこのカードの発行番号に対応する有価価値情報等も最新のものに更新する。また、同時にカードに記録された遊戯媒体貸出情報を変更する必要があればカードリーダー8によってその内容を更新する。遊戯客が遊戯を開始し、上皿15のパチンコ玉が無くなると再び玉貸しボタン12を押下してパチンコ玉を上皿15に払出す。このような動作を繰り返して、有価価値が無くなると玉貸機7はカードをカードリーダ8から排出する。前記有価価値が無くなったカードをパチンコ玉貸用カード回収機24に装着すると、カードが回収されてカードの貸出料金が返却される。
【００１７】
一方、遊戯中に特賞（大当たり）などにより遊技台の下皿16に溜まったパチンコ玉は、パチンコ玉貯留手段18に導かれ、パチンコ玉計数手段を介して遊戯装置内に戻される。このとき、計数手段によって計数されたパチンコ玉数は制御手段20によって計数表示器9に表示される。遊戯を終了する場合は、パチンコ玉を計数手段を介して全て遊戯装置内に戻し、パチンコ玉貸し用カード返却ボタン13を押下しカードを返却して終了する。このとき遊技台11の制御手段20は、獲得した玉数に相当する有価価値を元の有価価値情報に加算して、遊戯終了時の有価価値情報を遊戯システムデータ管理装置21に送信するとともに、記憶装置23に送信して有価価値情報等を更新して記憶させる。このときカードに記録された遊戯媒体貸出情報をさらに変更する必要があればカードリーダー8によってその内容を更新する。
【００１８】
遊戯の結果として獲得した有価価値の一部を元に、景品交換を希望する遊戯客は、カードを遊技場内のサービスカウンターなどに持っていき、ＰＯＳレジ23で遊戯媒体貸出情報を読み取り、読み取った遊戯媒体貸出情報を通信手段により遊戯システムデータ管理装置21に送信して記憶装置23に記憶されているデータと照合し、遊戯媒体貸出情報と記憶装置23に記憶されているデータが合致する場合は、ＰＯＳレジ22は景品交換可能な有価価値情報を表示し、遊戯客は該有価価値の範囲内の希望する景品と交換することができる。景品交換後、ＰＯＳレジは元の有価価値情報から交換した景品に相当する有価価値を減算して、有価価値情報を更新して遊戯システムデータ管理装置21に送信し、さらに記憶装置23に送信して記憶される有価価値情報を更新する。またこのときカードに記録された遊戯媒体貸出情報を変更する必要があればその内容を更新する。景品交換後、カードは遊戯客に返却され、このカードによって遊戯客は遊戯を再開することができる。
【００１９】
また、遊戯の結果として獲得したすべての有価価値情報を精算して、遊戯を終了することを希望する遊戯客は、カードをサービスカウンターなどに持っていき、カードをＰＯＳレジに装着して図示しない精算ボタンを押下することにより、ＰＯＳレジ22は遊戯媒体貸出情報を読み取り、読み取った遊戯媒体貸出情報を通信手段により遊戯システムデータ管理装置21に送信して記憶装置23に記憶されているデータと照合する。その結果、遊戯媒体貸出情報と記憶装置23に記憶されているデータが合致する場合は、ＰＯＳレジ22はカードの発行番号に対応する有価価値にカードの貸出料金を加算した価値の有価価値情報を表示し、遊戯客は該有価価値の範囲内で景品と交換することができる。そして景品交換後、カードはＰＯＳレジによって回収される。
【００２０】
更に、カードに記録されるカード情報を書き換え可能とすることによって、一度使用して回収されたカードの記録情報をパチンコ玉貸用カード販売機等によって再び書き換えて貸出すことができ、カードがリサイクルできるため、カードの運用管理コストを安くすることができる。
【００２１】
【発明の効果】
以上のように本発明によれば、パチンコ店等で使用するカードなどの記録媒体は、各々の記録媒体を特定可能な識別符号が記録され、さらにこの識別符号に対応するカードの店番号、カード種類、有効期限、あるいは有価価値情報等が遊戯システムを管理する遊戯システムデータ管理装置に送信され、記憶装置に記憶される。また、識別符号に対応した有価価値情報等の情報が、遊戯の結果等によって変わった場合は、その都度、記憶装置等に記憶されるデータを最新の情報に更新する。これによってカードはカードリーダに挿入された際に、その記録内容を記憶装置で記憶している情報と照合して、真偽を確認されるため、偽造や変造等の悪戯を発見しやすくなり、未然に悪戯を防止することが可能である。
【００２２】
また、前記記録媒体を発行するとき記録媒体の貸出料を徴収することにして、記録媒体を返却すれば貸出料を返却する仕組みとし、記録媒体の回収率を向上させることができる。更に、記録媒体の情報を書換え可能とすれば、回収した記録媒体の再使用により、リサイクルが可能となり、記録媒体の運用管理コストを安くすることができる。
【図面の簡単な説明】
【図１】 本発明の実施例を示すシステム全体図である。
【図２】 本発明の実施例を示す記録媒体の構成図である。
【図３】 本発明の実施例を示す記録媒体の磁気データ記録フォーマットを示す図である。
【符号の説明】
１    パチンコ玉貸用カード販売機
７    玉貸機
８    パチンコ玉貸用カード挿入口（カードリーダー挿入口）
１１  遊戯台
２１  遊戯システムデータ管理装置
２２  ＰＯＳレジ
２３  記憶装置(サーバー)
２４  カード回収機
２６  貨幣返却口
２７  パチンコカード
２８  磁気データ記録領域
【図１】
0004522523.tif 000002
【図２】
0004522523.tif 000003
【図３】
0004522523.tif 000004